(57)【特許請求の範囲】
【請求項１】
表示領域を持つ文字板、
前記文字板の前方に配置され前記文字板の周囲を囲む不透過部材からなる見返し部材、
前記表示領域において前記文字板よりも前方へ突出し、前記見返し部材と連続して一体に形成された複数の凸目盛、
前記凸目盛を指示する指針、
前記文字板の後方に配設された照明光源、及び
少なくとも前記凸目盛の周囲において前記凸目盛の各々を囲むように前記文字板に形成され、前記照明光源からの光を前記凸目盛の各々の周囲に透過させる光透過部を備えたことを特徴とする車両用計器。
【請求項２】
前記光透過部は、前記凸目盛の各々の間を連続して接続する帯状に形成されていることを特徴とする請求項１に記載の車両用計器。
【請求項３】
前記光透過部は、前記文字板の前記表示領域の全面に形成されることを特徴とする請求項１に記載の車両用計器。
【請求項４】
前記凸目盛は、前記見返し部材と連続して一体に形成されたリング部材に一体形成され、かつ該リング部材によって、前記文字板を、前記表示領域を有するリング内文字板部と、リング外文字板部とに区画していることを特徴とする請求項１ないし３のいずれか一項に記載の車両用計器。
【請求項５】
前記指針の回転の中心部を覆うように、前記見返し部材と連続して一体に形成された指針カバーが設けられており、前記指針は前記文字板と前記指針カバーの間において回転し、
前記照明用光源からの光が前記指針の前記中心部及び前記指針カバーに反射して前記凸目盛を前記文字板の表面に沿って照射することを特徴とする請求項１ないし４のいずれか一項に記載の車両用計器。
【請求項６】
前記指針カバーの前記文字板側に傾斜面が形成され、前記照明用光源からの光が前記指針の前記回転の中心部及び前記指針カバーの前記傾斜面に反射して前記凸目盛を前記文字板の表面に沿って照射することを特徴とする請求項５に記載の車両用計器。
【請求項７】
前記照明用光源の光の色とは異なる着色層からなる光透過部が前記指針の前記回転の中心部に形成されていることを特徴とする請求項５または６に記載の車両用計器。
【請求項８】
更に、前記照明用光源からの光を前記光透過部に導くケースが設けられ、該ケースは前記文字板の裏面において、前記指針の前記回転の中心部から前記凸目盛までに延在していることを特徴とする請求項１ないし７のいずれか一項に記載の車両用計器。
【発明の詳細な説明】
【技術分野】
【０００１】
本発明は、文字板上を指針が移動する車両用計器に関するものであり、例えば自動車のダッシュボードに取付けられ、目盛が立体的に見える構造を有する車両用計器に関する。
【背景技術】
【０００２】
従来、特許文献１に、速度やエンジン回転数を指針で表示する計器装置において、文字板の表面側に凸目盛を形成して立体目盛を実現する構造が開示されている。これは、立体感に富んだ見栄えを実現することが可能な計器装置を提供するために、以下の構造を採用している。
【０００３】
特許文献１に記載の従来構造を示す図９において、指針５と、この指針５の指示対象となる指標部１５が設けられた文字板４を有する。この文字板４の前方（図９上方）に配置され、指針５の作動範囲である文字板の表示領域を取り巻く不透光性の筒状部材１７を備えている。文字板４の前方（図９上方）に照明用光源Ｌ１からの光を受けて発光する立体構造物でなる複数の透光体１８を設けている。
【０００４】
透光体１８は、図９の平面方向（図中上方）から見たときに馬蹄形の形状を有し、馬蹄形の両端部に照明用光源を有している。この照明用光源からの光は、透光体１８内に進入し、透光体１８を立体的に浮かびあがらせる。
【０００５】
筒状部材１７に透光体１８を収容すると共に、その一部を突出させる収容部２０を設けている。これにより、照明用光源Ｌ１の点灯時に、立体的な見栄えを実現することができている。すなわち、立体造形物でなる複数の透光体１８を文字板４上に配置するだけでなく、筒状部材１７の収容部２０から透光体１８を突出させたことにより、透光体１８の立体造形を際だたせることができ、立体感に富んだ見栄えを実現できている。
【０００６】
また、特許文献２では、図１０のように、文字板４の外周にくし歯状の目盛部２５ａを持つ導光性樹脂よりなる受光部２５を設け、受光部２５の下から照明用光源Ｌ１とは別の立体指標用光源２６で受光部２２内に導光して、くし歯状の目盛部２５ａの先端２５ｂを強く光らせている。
【０００７】
また、受光部２５の上に装飾リング２６が被せられている。また、装飾リング２６の外周に見返し板２７が取り付けられている。装飾リング２６と、見返し板２７とは別体で構成され互いに接合されている。
【先行技術文献】
【特許文献】
【０００８】
【特許文献１】特開２００６−１２６０４８号公報
【特許文献２】特開２００８−１１６３０３号公報
【発明の概要】
【発明が解決しようとする課題】
【０００９】
上記特許文献１に記載の構造は、本来、車両用計器に基本的に使用される部品以外の照明用光源を両端部に伴う透光体１８、及び透光体１８を収容可能な筒状部材１７を追加するものであるため、立体感を与えるという商品力向上を実現するために、構造が複雑になるとともにコストアップを伴うという欠点がある。そして、近年、コストは低く抑えるが、商品力は向上させたいという要請があり、上記特許文献１に記載の構造では、時代の要請に対応することができない。
【００１０】
また、特許文献２においても同様に、立体的指標用光源２６と、導光性樹脂よりなる受光部２２を追加しなければならないと言う問題を有する。
【００１１】
本発明は、上記問題点に鑑み、追加の部品を必要とせず、コストアップを抑制しながら、車両用計器に立体感を与え、商品力向上を実現させる車両用計器を提供することを目的とする。
【００１２】
従来技術として列挙された特許文献の記載内容は、この明細書に記載された技術的要素の説明として、参照によって導入ないし援用することができる。
【課題を解決するための手段】
【００１３】
本発明は上記目的を達成するために、下記の技術的手段を採用する。すなわち、請求項１に記載の発明においては、表示領域を持つ文字板、文字板の前方に配置され文字板の周囲を囲む不透過部材からなる見返し部材、表示領域において文字板よりも前方へ突出し、見返し部材と連続して一体に形成された複数の凸目盛、凸目盛を指示する指針、文字板の後方に配設された照明光源、及び、少なくとも凸目盛の周囲において凸目盛の各々を囲むように文字板に形成され、照明光源からの光を凸目盛の各々の周囲に透過させる光透過部を備えたことを特徴としている。
【００１４】
この発明によれば車両用計器として必須の構成要件は、文字板、指針、見返し部材からなるが、該見返し部材と連続して一体に凸目盛を成形している。従って、見返し部材を成形するときに凸目盛が同時に成形されているから、新たな追加部品が不要である。そして、凸目盛の周囲の文字板上において凸目盛を囲むように形成され、照明用光源からの光を凸目盛の周囲に透過させる光透過部を備えたから、昼間は、文字板の表側からの光により凸目盛が立体的に見え、夜間においては、光透過部の中にシルエットとして凸目盛が浮かびあがるから、新たな追加部品なしでコストアップを抑制しながら、凸目盛に立体感を与え、商品力向上を実現できる車両用計器を提供することができる。
【００１５】
請求項２に記載の発明においては、光透過部は、凸目盛の各々の間を連続して接続する帯状に形成されていることを特徴としている。
【００１６】
この発明によれば、光透過部は、凸目盛の周囲に沿って凸目盛を囲み、かつ凸目盛の各々の間を連続して接続する帯状に形成されているから、帯状の文字板目盛を構成でき、この文字板目盛を透過する光によって凸目盛が立体的に浮かびあがり、凸目盛に立体感を与え、商品力向上を実現させる車両用計器を提供することができる。
【００１７】
請求項３に記載の発明においては、光透過部は、文字板の表示領域の全面に形成されることを特徴としている。
【００１８】
この発明によれば、凸目盛の周囲に形成され照明用光源からの光を透過する光透過部は、文字板の表示領域の全面に形成されているから、夜間において、文字板の表示領域が全面的に発光し、この発光した文字板の中に凸目盛がシルエットとして浮かびあがるから、凸目盛に立体感を与え、商品力向上を実現させる車両用計器を提供することができる。
【００１９】
請求項４に記載の発明においては、凸目盛は、見返し部材と連続して一体に形成されたリング部材に一体形成され、かつ該リング部材によって、文字板を、表示領域を有するリング内文字板部と、リング外文字板部とに区画していることを特徴としている。
【００２０】
この発明によれば、凸目盛は、見返し部材と連続して一体に形成されたリング部材に一体形成されているから、凸目盛はリング部材及び見返し部材とともに一部品として組み付けでき、凸目盛に立体感を与え、商品力向上を実現できる車両用計器を提供することができる。また、リング部材によって、文字板を表示領域を有するリング内文字板部とリング外文字板部に区画しているから、文字板の任意の領域に指針を回転させることが出来る。
【００２１】
請求項５に記載の発明においては、指針の回転の中心部を覆うように、見返し部材と連続して一体に形成された指針カバーが設けられており、指針は文字板と指針カバーの間において回転し、照明用光源からの光が指針の中心部及び指針カバーに反射して凸目盛を文字板の表面に沿って照射することを特徴としている。
【００２２】
この発明によれば、照明用光源からの光が指針の中心部及び指針カバーに反射して、凸目盛が文字板に沿って照射されるから、更に凸目盛に立体感を与え、商品力向上を実現させる車両用計器を提供することができる。
【００２３】
請求項６に記載の発明においては、指針カバーの文字板側に傾斜面が形成され、照明用光源からの光が指針の回転の中心部及び指針カバーの傾斜面に反射して凸目盛を文字板の表面に沿って照射することを特徴としている。
【００２４】
この発明によれば、照明用光源からの光が指針カバーの傾斜面にて反射するから、凸目盛を効率よく文字板に沿った光で照射することができる。
【００２５】
請求項７に記載の発明においては、照明用光源の光の色とは異なる着色層からなる光透過部が指針の回転の中心部に形成されていることを特徴としている。
【００２６】
この発明によれば、照明用光源からの光が指針の中心部を通るときに着色層によって着色されるから、この着色された光によって凸目盛を文字板に沿って照射することが出来、より斬新な見栄えを提供できる。
【００２７】
請求項８に記載の発明においては、更に、照明用光源からの光を光透過部に導くケースが設けられ、該ケースは文字板の裏面において、指針の回転の中心部から凸目盛までに延在していることを特徴としている。
【００２８】
この発明によれば、ケースによって、照明用光源の光を文字板とケースの間に閉じ込めながら凸目盛に導くことが出来るから、単一の照明用光源からの光を広範囲に分布させることが出来る。
【図面の簡単な説明】
【００２９】
【図１】本発明の第１実施形態をなす車両用計器の昼間時の正面図である。
【図２】図１の車両用計器に用いた見返し部材リング、凸目盛、及び文字板目盛の一部斜視図である。
【図３】図１の車両用計器の夜間時の正面図である。
【図４】本発明の第２実施形態をなす車両用計器の昼間時の正面図である。
【図５】図４の車両用計器の夜間時の正面図である。
【図６】本発明の第３実施形態を示す車両用計器の文字板の平面が延在する方向、つまり図３の矢印Ｆ６−Ｆ６に相当する方向から見た一部断面図である。
【図７】図６の一点鎖線で囲った枠部分である凸目盛部分の拡大断面図である。
【図８】本発明の第４実施形態を示す、図６の一点鎖線で囲った枠相当部分である指針カバー付近の断面図である。
【図９】特許文献１に記載の従来の車両用計器を示す一部断面図である。
【図１０】特許文献２に記載の従来の車両用計器を示す一部断面図である。
【発明を実施するための形態】
【００３０】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。
【００３１】
各実施形態で具体的に組合せが可能であることを明示している部分同士の組合せばかりではなく、特に組合せに支障が生じなければ、明示していなくても実施形態同士を部分的に組み合せることも可能である。
【００３２】
（第１実施形態）
以下、本発明の第１実施形態について図１ないし図３を用いて詳細に説明する。図１は、本発明の第１実施形態をなす車両用計器の昼間時の正面図である。図２は図１の車両用計器に用いた見返し部材リング１、凸目盛２、及び文字板目盛３の一部斜視図である。図３は、図１の車両用計器の夜間時の正面図である。
【００３３】
図１において、文字板４の表面側に、円弧状の見返し部材リング１を設けている。見返し部材リング１は、本発明に言うリング部材を形成する。見返し部材リング１と一体に連続して、速度を表示する指標となる目盛に相当する位置に、凸部から成る凸目盛２を設けている。凸目盛２は設定された間隔を置いて複数設けられ、見返し部材リング１から盛り上がり、見返し部材リング１の円弧の中心側に夫々突出している。
【００３４】
リング部材を成す見返し部材リング１と、複数の凸目盛２とは一体に樹脂等で連続して成形されている。よって、見返し部材リング１は、後述する見返し部材４０と共に複数の凸目盛２を保持する一部品として構成されており、光に対しては不透過性である。また、凸目盛２及び見返し部材リング１は文字板４から突出した立体物として形成されている。
【００３５】
一方、文字板 ４には、凸目盛 ２の位置に対応する文字板目盛３（図２）を設けている。この文字板目盛３は、文字板４の裏面側（図１、図２の紙面裏側）からの照明光が透過するように文字板４の表示領域に半透過印刷され、光透過部として形成されている。また、１８０等の数字表記からなる指標部４ａも半透過印刷されている。
【００３６】
文字板４の文字板目盛３は、凸目盛２の領域より大きく設定されている。つまり、凸目盛２は、文字板目盛３の領域に囲まれるように配置されている。上記構成において、昼間（図示されない照明光源がオフ）時は、図１のように、凸部から成る凸目盛２と光透過部から成る文字板目盛３が、共に目盛として認識される。なお、図１の５は指針、６は指針カバーである。
【００３７】
図１の車両用計器の夜間時における正面図である図３において、文字板４の後方の照明光源（図示せず）が点灯して、光が透過しない見返し部材リング１の凸目盛２は、シルエット（後方から照明光源の光が当たって浮かび上がった物の輪郭）として見える。
【００３８】
また、上記後方からの照明光源の光が文字板目盛３を透過して、文字板目盛３が目盛として認識される。このとき、文字板目盛３を透過した橙色もしくはアンバー色の光が、シルエット化した凸目盛２の側面において反射する。この反射により、凸目盛２の側面が淡く発光して、シルエットで見える部分と上記反射で淡く発光して見える部分により、凸目盛２の立体感をかもし出すことができる。
【００３９】
この第１実施形態では、図３のように、０ｋｍ／ｈ、２０ｋｍ／ｈ、４０ｋｍ／ｈ・・・１６０ｋｍ／ｈ、１８０ｋｍ／ｈ等のように２０ｋｍ／ｈ毎の目盛部分を凸目盛２としているが、他の目盛部分を凸目盛２にしても良い。
【００４０】
なお、見返し部材リング１及び指針カバー６は、図１の文字板４の外周を取り巻く不透光性の樹脂より成形された見返し部材４０（見返し板、周壁部材、ウインドプレート等とも呼ばれる）に一体に射出成形されている。また、文字板目盛３は、凸目盛２相互間を橋絡して文字板４上に帯状に延在しており、凸目盛２相互間の中間部には、不透光性の四角形のポインタ部４ｂが印刷されている。
【００４１】
また、文字板４は表示領域と成るリング内文字板部４１とリング外文字板部４２とに分かれ、リング外文字板部４２は暗色（スモーク）の印刷が成され、背面の照明（ＬＥＤ）点灯時に浮かびあがる警告表示４３が設けられている。また、リング外文字板部４２を四角形に切り取った部分に燃料計等の液晶表示部４４が形成されている。また、リング外文字板部４２には模様４２ａが印刷されている。
【００４２】
（第２実施形態）
次に、本発明の第２実施形態について説明する。なお、以降の各実施形態においては、上述した第１実施形態と同一の構成要素には同一の符号を付して説明を省略し、異なる構成および特徴について説明する。
【００４３】
上述の第１実施形態では、凸目盛を包含する範囲で文字板目盛を設けているが、この第２実施形態は、半透過印刷の文字板目盛相当部を設定せず、文字板の表示領域の実質的に全面を半透過印刷することにより光透過部と成して、夜間に発光させるものである。図４は、第２実施形態をなす車両用計器の昼間時の正面図である。図５は、図４の車両用計器における夜間時の正面図である。
【００４４】
この第２実施形態は、図４において、文字板４の表示領域つまりリング内文字板部４１の全面を半透過印刷処理により形成している。これにより、図５に示すように、夜間においては、文字板４の後方（図５の紙面裏側）の照明用光源により、文字板４の表示領域つまりリング内文字板部４１の略全面を橙色もしくはアンバー色にて発光させている。
【００４５】
また、この時、凸目盛２の周りを透過した光で、凸目盛２がシルエット化して見える。そして、凸目盛２の側面において、上記照明光源の光が反射して、凸目盛２が淡く発光して、立体感をかもし出すことができる。
【００４６】
（第３実施形態）
次に、本発明の第３実施形態について説明する。上述した実施形態と異なる特徴部分を説明する。図６は、第３実施形態を示す車両用計器の文字板４の平面が延在する方向、つまり図３の矢印Ｆ６−Ｆ６に相当する方向から見た一部断面図である。また、図７は、図６の一点鎖線で囲った枠Ｒ７の部分である凸目盛２部分の拡大断面図である。
【００４７】
図６において、指針５の回転の中心部７を覆うように指針カバー６を設けている。文字板４の指針中心周囲部４ｃは、光透過処理されている。よって、指針中心周囲部４ｃを透過した光が、指針５の回転の中心部７や指針カバー６より矢印Ａ６１、Ａ６２、Ａ６３、Ａ６４のように反射して、図６の凸目盛２を照射するようにしている。
【００４８】
このように、凸目盛２が矢印Ａ６１、Ａ６２、Ａ６３、Ａ６４の光で照射されることにより、凸目盛２に陰影が発生して、さらに立体感をかもし出すことができる。図６において、１はリング部材を成す見返し部材リング、９は指針駆動機構を成すステッパモータ、Ｌ１は照明用光源、１０はケース、１１は回路基板である。
【００４９】
図６における凸目盛２部分の拡大断面図である図７において、２は凸目盛、３は凸目盛２の位置に対応する文字板目盛である。この文字板目盛３は、文字板４の裏面側（図７の下側）からの矢印Ａ６４で示す照明光が透過するように半透過印刷されている。つまり、文字板目盛３は、半透過部として形成されている。また、文字板目盛３以外の部分は、図７のように光が透過しない不透過部８が形成されている。
【００５０】
図６のケース１０は、照明用光源Ｌ１の光を文字板４とケース１０の間に閉じ込めて凸目盛２に導く作用を成しており、指針５の回転軸の付け根から凸目盛２までに延在した皿状の形状を有する。
【００５１】
なお、図６の指針中心周囲部４ｃの光透過部に着色層を設け、この着色層を照明用光源Ｌ１の色調とは異なる色にすることにより、凸目盛２周囲の矢印Ａ６４の光による発光色とは異なる光が、矢印Ａ６１、Ａ６２、Ａ６３のように凸目盛２を照射することができる。
【００５２】
このように、凸目盛２周囲の裏面からの発光色とは異なる光で、表面から凸目盛２を照射することにより、文字板１の裏面からの光による色調と表面からの光による色調とに差が発生して、立体感に加えて、より斬新な見栄えを提供できる。
【００５３】
（第４実施形態）
次に、本発明の第４実施形態について説明する。この第４実施形態は、上述した第３実施形態を変形したものであるため、第３実施形態と異なる特徴部分を説明する。図８は、第４実施形態を示す、図６の一点鎖線で囲った枠Ｒ８相当部分である指針カバー６付近の断面図であり、矢印Ａ６５方向から見た形状を図示している。
【００５４】
図８において、指針カバー６の文字板４側は、平面ではなく、斜面６ａとして構成されている。これにより、斜面６ａからの反射光が、図６、図７の凸目盛２側へ矢印Ｒ６１、Ｒ６２，Ｒ６３のように進行し易くなる。
【００５５】
なお、斜面６ａは、斜面中央６ｃを中心として円錐状に形成された突起の表面に存在する。つまり、図８のように文字板４の指針中心周囲部４ｃの周囲に不透過部８を設けない部分を形成し、この部分を光透過部と成し、光透過性を有する指針中心周囲部４ｃを透過した光が指針５の回転の中心部７や指針カバー６の斜面６ａより反射して、図７の凸目盛２を照射することができる。
【００５６】
このように構成することにより、凸目盛２に陰影が発生して、さらに立体感を出すことができる。さらに、この指針中心周囲部４ｃの光透過部を照明用光源Ｌ１相当部（図６）の色調とは異なる色を持つ着色層にすることにより、凸目盛２周囲の発光色とは異なる光が、凸目盛２を文字板４の表面に沿って照射することになり、文字板４の裏面からの色調と、表面からの色調とに差が発生して、立体感に加えて、より斬新な見栄えを提供できる。
【符号の説明】
【００５７】
１  見返し部材リング
２  凸目盛
３  文字板目盛から成る光透過部
４  文字板
４ｂ  不透光性の四角形のポインタ部
４ｃ  文字板の指針中心周囲部
５  指針
６  指針カバー
６ａ  指針カバーの斜面
７  指針の中心部
８  不透過部
９  指針駆動機構を成すステッパモータ
１０  ケース
１１  回路基板
４０  見返し部材
４１  リング内文字板部
４２  リング外文字板部
４３  警告表示
４４  液晶表示部
Ｌ１  照明用光源
【図１】
0005348087.tif 000002
【図２】
0005348087.tif 000003
【図３】
0005348087.tif 000004
【図４】
0005348087.tif 000005
【図５】
0005348087.tif 000006
【図６】
0005348087.tif 000007
【図７】
0005348087.tif 000008
【図８】
0005348087.tif 000009
【図９】
0005348087.tif 000010
【図１０】
0005348087.tif 000011